(57)【要約】【課題】分割形成された箱体の組み立てが簡単にでき、施工性が良い電気機器収納用箱体を提供する。【解決手段】電気機器収納用箱体１は、電気機器が取り付けられる背板３と、背板３に取り付けられ、天板４、底板５、左右側板６とを一体に形成して前面及び背面を開口して成る側体７と、側体７の前面開口に開閉自在に取り付けられる扉体８とで構成し、側体７の下端縁に背板３の下端縁に係止する引掛片７ｃを設けるとともに、側体７の上端縁に背板３の上端縁に係脱可能な固定部材９を設け、背板３の下端縁３ｂに側体７の引掛片７ｃを係止させた状態で背板３の上端縁３ｂに側体７の固定部材９を係止させることで背板３に側体７を着脱自在に固定する。【選択図】図５
2010212312.tif 000002
【特許請求の範囲】
【請求項１】
各種電気機器を収納するための電気機器収納用箱体であって、前記電気機器が取り付けられる背板と、該背板に取り付けられ、天板、底板、左右側板とを一体に形成して前面及び背面を開口して成る側体と、該側体の前面開口に開閉自在に取り付けられる扉体とで構成したことを特徴とする電気機器収納用箱体。
【請求項２】
前記背板の上部中央にダルマ孔を形成するとともに、前記背板に水平器を載置できるようにしたことを特徴とする請求項１に記載の電気機器収納用箱体。
【請求項３】
前記側体の背面側の下端縁又は前記背板の下端縁の一方に他方に対して係止する引掛片を設け、前記側体の背面側の上端縁又は前記背板の上端縁の一方に他方に対して係脱可能な固定部材を設けたことを特徴とする請求項１又は請求項２に記載の電気機器収納用箱体。
【発明の詳細な説明】
【技術分野】
【０００１】
本発明は、各種電気機器を収納するための電気機器収納用箱体に関する。
【背景技術】
【０００２】
従来、配電用機器、制御用機器、通信用機器等の各種電気機器を収納するための電気機器収納用箱体は、一般に背板、天板、底板、左右側板とを一体に形成して前面を開口して成る箱体と、前面開口に開閉自在に設けられる扉体とで成っている。また、保管時の省スペース化、運搬時の効率化を図り、また、１人でも設置作業ができるように箱体の背板、天板、底板、左右側板の５つの部位が夫々分割して形成され、施工時に組み立てて使用するものがあった（例えば、特許文献１参照。）。
【先行技術文献】
【特許文献】
【０００３】
【特許文献１】特開２００８−１７２８９９号公報
【発明の概要】
【発明が解決しようとする課題】
【０００４】
しかしながら、特許文献１に記載の電気機器収納用箱体は施工時に各板材同士を連結する必要があるため、組み立てに時間がかかり、施工性が悪いという欠点があった。また、各板材の連結は板材の爪片を対象の板材のスリットに挿通させて工具を用いて折り曲げなければならず、容易に組み立てができなかった。
【課題を解決するための手段】
【０００５】
本発明は、請求項１に記載の発明によれば、各種電気機器を収納するための電気機器収納用箱体であって、電気機器が取り付けられる背板と、背板に取り付けられ、天板、底板、左右側板とを一体に形成して前面及び背面を開口して成る側体と、側体の前面開口に開閉自在に取り付けられる扉体とで構成したことを特徴とする。
【０００６】
請求項２に記載の発明によれば、請求項１に記載の電気機器収納用箱体において、背板の上部中央にダルマ孔を形成するとともに、背板に水平器を載置できるようにしたことを特徴とする。
【０００７】
請求項３に記載の発明によれば、請求項１又は請求項２に記載の電気機器収納用箱体において、側体の背面側の下端縁又は背板の下端縁の一方に他方に対して係止する引掛片を設け、側体の背面側の上端縁又は背板の上端縁の一方に他方に対して係脱可能な固定部材を設けたことを特徴とする。
【発明の効果】
【０００８】
請求項１に記載の発明によれば、背板を建築物の壁面に取り付けた後、背板に扉体を取り付けた側体を組み付けるだけなので１人でも簡単に組み立てができ、施工性が良いという効果がある。
【０００９】
請求項２に記載の発明によれば、請求項１に記載の発明の効果に加えて、背板が壁面に対して水平となるように容易に調整することができるという効果がある。
【００１０】
請求項３に記載の発明によれば、請求項１又は請求項２に記載の発明の効果に加えて、工具を必要とすることなく簡単に組み立てができ、また、側体の下側を引っ掛けた後、上側を固定部材で固定するので背板の上面を天井ぎりぎりに取り付けた場合や背板の側面を壁面の隅ぎりぎりに取り付けたり、分電盤に隣接して取り付けた場合でも側体を組み付けることができるという効果がある。
【図面の簡単な説明】
【００１１】
【図１】本発明に係る電気機器収納用箱体を示し、（ａ）は正面図、（ｂ）は右側面図である。
【図２】背板と側体を離した状態の縦断面図である。
【図３】ラッチの断面図である。
【図４】背板の正面図である。
【図５】背板に側板を取り付ける様子を示す電気機器収納用箱体の縦断面図である。
【図６】背板に側板を取り付けた状態を示す電気機器収納用箱体の縦断面図である。
【発明を実施するための形態】
【００１２】
電気機器収納用箱体は、電気機器が取り付けられる背板と、背板に取り付けられ、天板、底板、左右側板とを一体に形成して前面及び背面を開口して成る側体と、側体の前面開口に開閉自在に取り付けられる扉体とで構成し、側体の下端縁に背板の下端縁に係止する引掛片を設けるとともに、側体の上端縁に背板の上端縁に係脱可能な固定部材を設け、背板の下端縁に側体の引掛片を係止させた状態で背板の上端縁に側体の固定部材を係止させることで背板に側体を着脱自在に固定する。
【実施例１】
【００１３】
本発明に係る電気機器収納用箱体の実施例１を図１〜図６の添付図面に基づいて説明する。
【００１４】
電気機器収納用箱体１は、配電用機器、制御用機器、通信用機器等の各種電気機器が取り付けられる背板３と、前面及び背面が開口されて背板３に取り付けられる側体７と、側体７の前面開口に設けられる扉体８とで構成している。
【００１５】
背板３は矩形状の金属板材の上下左右端縁が前方に折曲されて立上片３ａが形成され、立上片３ａは内側に折曲されて側体７と当接する当接片３ｂが形成されている。
【００１６】
側体７は金属板材により天板４、底板５、左右側板６，６を一体に形成して前面及び背面が開口され、背面側の端縁は内側に折曲されて背板３の当接片３ｂと対向する当接片７ａが形成され、左右及び下部の当接片７ａは更に背面方向に折曲されて背板３との連結時に位置決めを行う位置決め片７ｂが形成されている。また、位置決め片７ｂの左右両下端部に背板３の下側の当接片３ｂに係止する引掛片７ｃ，７ｃが下方向に突出して形成され、側体７の上側の当接片７ａの左右両部に背板３の上側の当接片３ｂに係脱可能な固定部材としてラッチ９，９が設けられている。ラッチ９は本体ケース９ａと、本体ケース９ａに出没可能に設けられて背板３の当接片３ｂに係止する係止爪９ｂと、係止爪９ｂを本体ケース９ａから突出する方向に付勢するバネ部材９ｃと、係止を解除するためのツマミ部９ｄとを有して形成され、ラッチ９は係止爪９ｂが上方向となるように側体７に取り付けられている。また、側体７の前面側の端縁は内側にコ字状に折曲され、更に端縁が内側方向にＬ字状に折曲されて枠部７ｄが形成されている。
【００１７】
扉体８は金属板材の上下左右端縁を後方にコ字状に折曲して側体７の枠部７ｄに嵌まる大きさに形成して成り、左右一方の上下両端部に設けられた蝶番１０によって側体７の枠部７ｄに蝶着して側体７の前面開口を開閉自在にされ、他方の端部に設けられたハンドル１５によって側体７の枠部７ｄに係脱操作できるようになっている。
【００１８】
このように構成された電気機器収納用箱体１を建築物の壁面に設置する場合、まず、壁面に背板３を取り付ける。このとき、壁面に締め付けた取付ネジに背板３の上部中央に形成されたダルマ孔３ｃを嵌め、背板３の上側の立上片３ａに水平器を載せ、背板３が左右に傾いていないか確認して水平にした状態で背板３の四隅を取付ネジで螺着して壁面に取り付ける。次に背板３に電気機器を搭載したパネル１７を取り付ける。そして、背板３に扉体８を取り付けた側体７を組み付ける。組み付けは、側体７を上部が手前側に軽く傾くようにして持ち、背板３の左右両側の当接片３ｂ，３ｂ間に側体７の位置決め片７ｂ，７ｂを嵌め入れ、更に落とし込むようにして側体７の引掛片７ｃ，７ｃを背板３の下側の当接片３ｂに係止させる。それから、側体７の上部を背板３に押し付けることでラッチ９の係止爪９ｂに形成された傾斜面が背板３の当接片３ｂに当接し、更に側体７を押すと係止爪９ｂがバネ部材９ｃの力に抗して本体ケース９ａ内に押し込まれ、係止爪９ｂが背板３の当接片３ｂを乗り越えるとバネ部材９ｃの力によって係止爪９ｂが突出して当接片３ｂに係止することで側体７が背板３に着脱自在に固定される。
【００１９】
このように、電気機器収納用箱体は背板３の下端縁に側体７の引掛片７ｃを係止させた状態で背板３の上端縁に側体７のラッチ９を係止させて固定するだけなので工具を必要とすることなく簡単に組み立てができ、また、背板の上面を天井ぎりぎりに取り付けた場合や背板の側面を壁面の隅ぎりぎりに取り付けたり、分電盤に隣接して取り付けた場合でも側体を組み付けることができる。
【００２０】
また、背板３から側体７を取り外すには、扉体８を開け、ラッチ９のツマミ部９ｄを操作してラッチ９の係止を解除した状態で、側体７の上部を手前側に引き出し、そして側体７を斜め上方に持ち上げることで引掛片７ｃの係止が解除されて背板３から側体７を取り外すことができる。
【００２１】
尚、本実施例においては側体に引掛片と固定部材を設けたが、背板に引掛片及び／又は固定部材を設けても良く、また、固定部材としてラッチを用いたが、これに限定されるものではなく、また、背板、側体、扉体の形状及び構造についても本発明の趣旨を逸脱しない範囲で適宜変更して実施することも可能である。
【符号の説明】
【００２２】
１    電気機器収納用箱体
３    背板
３ａ    立上片
３ｂ    当接片
３ｃ    ダルマ孔
４    天板
５    底板
６    左右側板
７    側体
７ａ    当接片
７ｂ    位置決め片
７ｃ    引掛片
７ｄ    枠部
８    扉体
９    ラッチ
９ａ    本体ケース
９ｂ    係止爪
９ｃ    バネ部材
９ｄ    ツマミ部
１０    蝶番
１５    ハンドル
１７    パネル
【図１】
2010212312.tif 000003
【図２】
2010212312.tif 000004
【図３】
2010212312.tif 000005
【図４】
2010212312.tif 000006
【図５】
2010212312.tif 000007
【図６】
2010212312.tif 000008